(57)【要約】【課題】ＬＥＤなどの表示部を搭載した除湿機において、複数の異常を一度に表示可能とする。【解決手段】室内空気循環ファン３９Ａ，３９Ｂや除湿手段（除湿ロータ３０、再生空気循環ファン４１、加熱ヒータ４３）の異常を検出する２以上の異常検出手段を設けるとともに、該異常検出手段により異常を検出すると室内空気循環ファン３９Ａ，３９Ｂや除湿手段を停止する異常モードを設け、該異常モードでは、予め設定した特定のスイッチ６２Ａを操作すると、各異常に応じて予め設定した表示部（ＬＥＤ６３ａ〜６３ｃ，６４ａ〜６４ｃ，６６）を表示させ、２以上の異常を同時に表示可能な構成とする。【選択図】  図１
2004317003.tif 000002
【特許請求の範囲】
【請求項１】
ケーシングの表面に、送風量や動作状態などを選択する複数のスイッチと、その動作状態を表示する複数の表示部とを有する操作パネルを備え、室内空気循環ファンにより室内の空気を吸引し、除湿手段によって除湿した乾燥空気を室内に循環供給する除湿機において、
前記室内空気循環ファンや除湿手段の異常を検出する２以上の異常検出手段を設けるとともに、該異常検出手段により異常を検出すると前記室内空気循環ファンや除湿手段を停止する異常モードを設け、該異常モードでは、予め設定した特定のスイッチを操作すると、各異常に応じて予め設定した表示部を表示させ、２以上の異常を同時に表示可能としたことを特徴とする除湿機。
【請求項２】
ケーシングの表面に、送風量や動作状態などを選択する複数のスイッチと、その動作状態を表示する複数の表示部とを有する操作パネルを備え、室内空気循環ファンにより室内の空気を吸引し、除湿手段によって除湿した乾燥空気を室内に循環供給する除湿機において、
前記室内空気循環ファンや除湿手段の異常を検出する２以上の異常検出手段を設けるとともに、該異常検出手段により異常を検出すると前記室内空気循環ファンや除湿手段を停止する異常モードを設け、該異常モードでは、全ての表示部を表示させる第１表示状態と、各異常に応じて予め設定した表示部を表示させて２以上の異常を同時に表示可能とした第２表示状態とを交互に行うようにしたことを特徴とする除湿機。
【発明の詳細な説明】
【０００１】
【発明の属する技術分野】
本発明は、除湿機に関するものである。
【０００２】
【従来の技術】
この種の除湿機は、ケーシング内が除湿通路と再生通路とに区画され、これら通路に跨って円板状の除湿ロータが回転可能に配設されている。
【０００３】
前記除湿通路には、室内の空気を吸気口から吸引し、排気口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、ケーシング内には、前記再生通路の一部を構成する熱交換器が配設されている。
【０００４】
そして、前記除湿通路では、吸引した室内の空気を前記除湿ロータを通過することにより、空気に含有した水分が吸着され、乾燥した空気として排気口から室内に循環供給される。
【０００５】
また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分は取り除かれ、結露した水はタンクに回収される。
【０００６】
この除湿機には、前記ケーシングの表面に、送風量や動作状態などを選択する複数のスイッチと、その動作状態を表示する複数の表示部とを備えた操作パネルが設けられており、この操作パネルなどの表示に関連する先行技術文献情報としては次のものがある。
【０００７】
【特許文献１】
特開平５−２４８６７０号公報
【０００８】
この特許文献１では、フロートスイッチや給水弁の異常を検出する検出手段を設け、これらの異常を検出すると、機器の動作を停止するとともに、ランプを表示させることにより、その異常状況をユーザに知らせるように構成している。
【０００９】
【発明が解決しようとする課題】
しかしながら、前記除湿機において、異常の種類は複数あり、一度に複数の異常が発生している場合にはその原因を表示させ、ユーザに確認させることができないという問題がある。なお、表示手段として液晶パネルを使用している機器では、複数の異常が発生している場合には、所定時間毎に対応した異なる異常を表示させたり、特定のスイッチを操作する度に異なる異常を表示させるなどの方法が可能であるが、ＬＥＤなどの表示手段を用いた機器の場合にはその方法を適用することはできない。
【００１０】
そこで、本発明では、ＬＥＤなどの表示部を搭載した除湿機において、複数の異常を一度に表示可能とすることを課題とするものである。
【００１１】
【課題を解決するための手段】
前記課題を解決するため、本発明の第１の除湿機は、ケーシングの表面に、送風量や動作状態などを選択する複数のスイッチと、その動作状態を表示する複数の表示部とを有する操作パネルを備え、室内空気循環ファンにより室内の空気を吸引し、除湿手段によって除湿した乾燥空気を室内に循環供給する除湿機において、前記室内空気循環ファンや除湿手段の異常を検出する２以上の異常検出手段を設けるとともに、該異常検出手段により異常を検出すると前記室内空気循環ファンや除湿手段を停止する異常モードを設け、該異常モードでは、予め設定した特定のスイッチを操作すると、各異常に応じて予め設定した表示部を表示させ、２以上の異常を同時に表示可能な構成としている。
【００１２】
また、本発明の第２の除湿機は、ケーシングの表面に、送風量や動作状態などを選択する複数のスイッチと、その動作状態を表示する複数の表示部とを有する操作パネルを備え、室内空気循環ファンにより室内の空気を吸引し、除湿手段によって除湿した乾燥空気を室内に循環供給する除湿機において、前記室内空気循環ファンや除湿手段の異常を検出する２以上の異常検出手段を設けるとともに、該異常検出手段により異常を検出すると前記室内空気循環ファンや除湿手段を停止する異常モードを設け、該異常モードでは、全ての表示部を表示させる第１表示状態と、各異常に応じて予め設定した表示部を表示させて２以上の異常を同時に表示可能とした第２表示状態とを交互に行うように構成している。
【００１３】
【発明の実施の形態】
以下、本発明の実施の形態を図面に従って説明する。
図１は、本発明の実施形態に係る除湿機を示す。この除湿機は、大略、矩形状をなすケーシング１０の内部を除湿通路１１と再生通路１２とに区画し、その内部に、除湿ロータ３０と、室内空気循環ファン３９Ａ，３９Ｂと、再生空気循環ファン４１と、加熱ヒータ４３と、熱交換器４５とを水平に配設するとともに、下部にタンク５５を配設したものである。なお、これらの構成部品のうち、前記除湿ロータ３０、再生空気循環ファン４１、加熱ヒータ４３、および、熱交換器４５は、吸引した空気を除湿する除湿手段を構成する。
【００１４】
前記ケーシング１０は、図２（Ａ），（Ｂ）に示すように、基枠１３の前後に前カバー１４と後カバー１５とを配設したものである。前記前カバー１４の上部にはルーバー１６を備えた排気口１７が形成されている。前記後カバー１５には、垂直方向に延びる複数のスリットからなる吸気口１８が形成されている。また、ケーシング１０には、前記基枠１３にカバー１４，１５を組み付けることにより、その下部にタンク収容室１９が形成される。
【００１５】
前記基枠１３の前面側には、図３に示すように、一対のインボリュート通路を構成する壁２０ａ，２０ｂを備えるとともに開口された室内空気循環ファン配設部２０Ａ，２０Ｂと、再生空気循環ファン配設部２１と、該再生空気循環ファン配設部２１から加熱ヒータ配設部２５にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁部２４が設けられている。
【００１６】
また、基枠１３の後面側には、図４および図５に示すように、加熱ヒータ配設部２５と、除湿ロータ配設部２６と、前記再生空気循環ファン配設部２１に連通する円筒状のダクト２７とが設けられている。前記加熱ヒータ配設部２５は、前記ダクト部２２と連通している。除湿ロータ配設部２６は、後述する除湿ロータ３０の保持部材３３の下端縁より肉厚の周壁２８の上面に、ガイド用の凹溝２９を設けたものである。
【００１７】
なお、前記再生通路１２は、再生空気循環ファン配設部２１、該配設部２１と連通したダクト部２２、該ダクト部２２と連通した加熱ヒータ配設部２５、該配設部２５と対応するように除湿ロータ３０の反対側に配設したローターカバー５３、および、該ローターカバー５３に接続するとともに前記再生空気循環ファン配設部２１に接続する熱交換器４５により構成される。そして、この区画された再生通路１２および前記タンク収容室１９を除くケーシング１０内が、前記除湿ロータ３０を介して吸気口１８と排気口１７とを連通させる除湿通路１１を構成する。
【００１８】
前記除湿ロータ３０は、その約３／４が除湿通路１１内に位置し、約１／４が再生通路１２内に位置するように、前記両通路１１，１２に跨って駆動モータ３１により回転可能に配設した円板状のものである。具体的には、この除湿ロータ３０は、図５に示すように、ゼオライトまたはシリカゲルを結合させたメッシュ状のセラミックハニカムからなるロータ本体３２を、樹脂製の保持部材３３によって保持させたものである。
【００１９】
前記保持部材３３は、ロータ本体３２の中央に位置する軸受部３４と、ロータ本体３２の外周部に位置する外壁部３５と、これらを加熱ヒータ４３と反対に位置する熱交換器４５の側で連結する連結枠３６とからなる。前記外壁部３５には、外方に突出するフランジ部３７が設けられるとともに、駆動モータ３１の出力軸に配設した歯車３１ａに噛み合う複数の凸状歯３８が設けられている。本実施形態では、３０度間隔をもって位置する１２個の凸状歯３８を更に端部に向けて延ばし、後述する第５の異常検出手段を構成するマイクロスイッチ６９の接点を押圧してオンするための凸状の作動部３８ａを設けている。
【００２０】
前記室内空気循環ファン３９Ａ，３９Ｂは、前記除湿通路１１内において、室内空気循環ファン配設部２０Ａ，２０Ｂに配設される一対のシロッコファンで構成され、それぞれモータ４０Ａ，４０Ｂの駆動により回転する。これにより、図１に実線の矢印で示すように、後カバー１５の吸気口１８から室内の空気を吸引し、前記除湿ロータ３０によって除湿した乾燥空気を前カバー１４の排気口１７から室内に循環供給するものである。
【００２１】
なお、本実施形態では、第１の室内空気循環ファン３９Ａは前記室内空気循環ファン配設部２０Ａに配設され、そのモータ４０Ａは、回転が早い「強」運転と、回転が遅い「弱」運転とが可能な変速機能を有するものを用いている。また、第２の室内空気循環ファン３９Ｂは前記室内空気循環ファン配設部２０Ｂに配設され、そのモータ４０Ｂは、回転が早い「強」運転のみが可能なものを用いている。
【００２２】
前記再生空気循環ファン４１は、前記再生通路１２内において、前記再生空気循環ファン配設部２１に配設され、モータ４２の駆動により回転する。これにより、図１に破線の矢印で示すように、再生通路１２内の再生空気を、ダクト部２２を介して加熱ヒータ４３のヒータケース４４内に供給し、除湿ロータ３０、および、熱交換器４５の順で循環させるものである。
【００２３】
前記加熱ヒータ４３は、前記除湿ロータ３０の前方に配設され、図示しない電源回路からの供給電力により発熱し、再生空気および除湿ロータ３０を加熱するものである。この加熱ヒータ４３は、連続した１巻きのコイルからなり、前記再生通路１２を構成するヒータケース４４を介して前記加熱ヒータ配設部２５に配設される。
【００２４】
前記熱交換器４５は、前記除湿通路１１内において、前記除湿ロータ３０の背面側に配設されるとともに前記再生通路１２の一部を構成するもので、図６（Ａ），（Ｂ）に示すように、真空成形または圧空成形により形成した一対のパネル４６Ａ，４６Ｂを溶着した樹脂製のものである。各パネル４６Ａ，４６Ｂは、互いに対称に位置する複数の仕切用凹条４７Ａ，４７Ｂを備え、これら仕切用凹条４７Ａ，４７Ｂを除く部位により再生空気を通過させる複数の流路４８が形成されている。また、一方のパネル４６Ａには、扇形状の流入口４９と、基枠１３のダクト２７と対応する円形状の流出口５０と、結露水をタンク５５に排水するためのドレン部５１とが設けられている。さらに、貼り合わされた仕切用凹条４７Ａ，４７Ｂの部位には、吸引した空気を流通させるための通孔５２が設けられている。なお、本実施形態では、前記流入口４９は、前記除湿ロータ３０において、加熱ヒータ４３を収容するヒータケース４４と反対面に配設されるローターカバー５３に形成した接続部５４に接続されるように構成している。
【００２５】
前記タンク５５は、図２（Ｂ）に示すように、上面開口の箱体形状をなし、その内部にはフロート部材５６が回動可能に配設されている。このフロート部材５６は、タンク５５内の水位が上昇すると、下部のフロート部５６ａが浮き上がることにより全体が回動する。
【００２６】
なお、前記タンク収容室１９には、上端開口の箱体形状をなすサブタンク５７が配設されている。このサブタンク５７には、水平方向に移動可能な弁５８が配設されている。この弁５８は、スプリングによって常閉状態を維持するように構成されており、タンク５５を装着することにより前記フロート部材５６の上端の押圧部５６ｂが当接して開弁する。そして、タンク５５内の水位が上昇してフロート部材５６が回動することにより、押圧部５６ｂによる弁５８の押圧が解除され、閉弁するように構成している。前記弁５８には、分岐したマイクロスイッチ動作部５９が設けられ、該マイクロスイッチ動作部５９によりサブタンク５７に隣接して配設したマイクロスイッチ６０をオンまたはオフするように構成している。
【００２７】
前記基枠１３の上側の表面には、図７に示す操作パネル６１が配設されている。この操作パネル６１は、上方からマイナスイオン発生装置をオンまたはオフさせるためのスイッチ６２Ａ、衣類乾燥コースのモードを選択するためのスイッチ６２Ｂ、除湿動作のモードを選択するためのスイッチ６２Ｃ、切タイマーを設定するためのスイッチ６２Ｄ、および、除湿機の運転をオンまたはオフさせるためのスイッチ６２Ｅが設けられている。
【００２８】
また、前記操作パネル６１において、前記スイッチ６２Ｂの上部には、衣類乾燥コースである夜干し、速乾および節電の３つのモードに対応する第１ＬＥＤ６３ａ，６３ｂ，６３ｃが設けられている。さらに、スイッチ６２Ｃの上部には、除湿動作である静音、標準および強の３つのモードに対応する第２ＬＥＤ６４ａ，６４ｂ，６４ｃが設けられている。さらにまた、スイッチ６２Ｄの上部には、切タイマーの設定時間である１（時間）、２（時間）、４（時間）および６（時間）に対応する第３ＬＥＤ６５ａ，６５ｂ，６５ｃ，６５ｄが設けられている。そして、スイッチ６２Ｅの下部には、タンク５５が装着されていない状態、または、タンク５５内が満水になった状態を示す第４ＬＥＤ６６が設けられている。
【００２９】
前記除湿機に設けた図示しない制御手段は、マイコンを実装した制御基板を備え、電源のスイッチ６２Ｅがオン状態になり、ケーシング１０のタンク収容室１９にタンク５５がセットされ、かつ、満水状態でない場合に、前記除湿ロータ３０の駆動モータ３１、室内空気循環ファン３９Ａ，３９Ｂのモータ４０Ａ，４０Ｂ、再生空気循環ファン４１のモータ４２、および、加熱ヒータ４３に対して電力を通電して除湿動作を開始する。また、タンク５５内が満水状態になると、または、機器自体が転倒すると、前記各構成部品への通電を停止して除湿動作を停止するものである。
【００３０】
ここで、前記タンク５５の未装着状態および満水状態は、前記マイクロスイッチ６０により検出する。このマイクロスイッチ６０は、オン状態の場合にはＨｉ信号を出力し、オフ状態の場合にはＬｏ信号を出力する。そのため、図８（Ａ）に示すように、タンク５５が未装着状態の場合には、マイクロスイッチ６０がオフ状態であるため、Ｌｏ信号の出力状態を維持するため、未装着状態を検出することができる。また、タンク５５が装着されると、マイクロスイッチ６０がオン状態となるため、Ｈｉ信号の出力状態が維持されるため、タンク５５の装着状態を検出することができる。さらに、タンク５５が装着され、かつ、除湿動作を実行している状態で、タンク５５が満水状態になると、前記フロート部材５６が回動することによりマイクロスイッチ６０がオフ状態となり、Ｌｏ信号の出力状態となるため、満水状態を検出することができる。
【００３１】
また、機器の転倒は、制御基板に実装された図示しない転倒スイッチにより検出する。ここで、この転倒スイッチは、オン状態の場合には、図８（Ｂ）に示すように、所定時間毎にＬｏ信号を出力し、その他の時間はＨｉ信号を出力する。そして、タンク収容室１９にタンク５５が収容されていない場合には、Ｌｏ信号の入力がなく、常にＨｉ信号が入力されることになり、このＬｏ信号の入力の有無により転倒状態を検出することができる。
【００３２】
また、制御手段は、ユーザが操作パネル６１のスイッチ６２Ｃを操作することにより「静音」運転（第１風量）を選択すると、前記室内空気循環ファン３９Ａを「弱」運転させるとともに、室内空気循環ファン３９Ｂを停止させる。そして、加熱ヒータ４３には、１５０秒電力を通電（オン）させた後、１７０秒電力の通電を遮断（オフ）するようにデューティー制御する。また、ユーザが「標準」運転（第２風量）を選択すると、前記室内空気循環ファン３９Ａを「弱」運転させるとともに、室内空気循環ファン３９Ｂを「強」運転させる。そして、加熱ヒータ４３には、１６０秒電力を通電（オン）させた後、１３０秒電力の通電を遮断（オフ）するようにデューティー制御する。また、ユーザが「強」運転（第３風量）を選択すると、前記室内空気循環ファン３９Ａを「強」運転させるとともに、室内空気循環ファン３９Ｂを「強」運転させる。そして、加熱ヒータ４３には、常に電力を供給する。
【００３３】
さらに、ユーザが操作パネル６１のスイッチ６２Ｂを操作することにより衣類乾燥コースにおける夜干しモードを選択すると、第１工程として６０分間「標準」運転し、第２工程として２７０分間「静音」運転した後、第３工程として３０分間「標準」運転して停止する。また、ユーザが衣類乾燥コースにおける速乾モードを選択すると、１５０分間「強」運転して停止する。また、ユーザが衣類乾燥コースにおける節電モードを選択すると、２７０分間「強」運転して停止する。そして、加熱ヒータ４３には、１５０秒電力を通電（オン）させた後、４５０秒電力の通電を遮断（オフ）するようにデューティー制御する。
【００３４】
本実施形態では、前記マイコンは、５つの異常検出手段によりそれぞれ異なる異常を検出すると、前記室内空気循環ファン３９や除湿手段を構成する各構成部品３０，４１，４３を停止する異常モードを実行する。そして、この異常モードでは、予め設定した特定のスイッチ６２Ａを操作すると、その操作状態が継続している間のみ、各異常に応じて予め設定した表示部であるＬＥＤ６３ａ〜６３ｃ，６４ａ〜６４ｃ，６５ａを表示させ、２以上の異常を同時に表示できるように構成している。
【００３５】
具体的には、第１の異常検出手段は、マイコン自体であり、制御回路におけるＡ／Ｄ変換器の異常を検出するものである。
【００３６】
第２の異常検出手段は、前記再生通路１２内における加熱ヒータ４３の近傍に配設した第１サーミスタ６７であり、サブファンのモータ故障による異常を検出するものである。
【００３７】
第３の異常検出手段は、前記再生通路１２内における再生空気の供給方向に対して除湿ロータ３０の下流側に配設した第２サーミスタ６８であり、メインファンのモータ故障による異常を検出するものである。
【００３８】
第４の異常検出手段は前記転倒スイッチであり、該転倒スイッチ自体の故障を検出するものである。ここで、この転倒スイッチが故障すると、図８（Ｂ）に示すように、Ｈｉ信号の入力が断たれて常にＬｏ信号が入力されるため、この転倒スイッチの故障を検出することができる。
【００３９】
第５の異常検出手段は、除湿ロータ３０の周囲に配設したマイクロスイッチ６９であり、前記除湿ロータ３０のモータ故障によるロータロックを検出するものである。ここで、本実施形態の除湿ロータ３０は２分で１回転し、また、作動部３８ａを３０度間隔で１２個設けているため、マイクロスイッチ６９は、１０秒毎に接点がオンされる。そのため、１０秒を越えてもオン状態を検出できない場合には、除湿ロータ３０が故障によりロックしたという異常を検出することができる。
【００４０】
なお、以下の表１に各異常に応じた表示の一例を示す。
【００４１】
【表１】
2004317003.tif 000003
【００４２】
前記表１に示すように、スイッチ６２Ａが操作され、その操作が継続中の場合において、マイコンがＡ／Ｄ変換器の異常を検出すると、第１ＬＥＤ６３ａを点灯させる。また、マイコンが第１サーミスタ６７の断線を検出すると第１ＬＥＤ６３ｂを点灯させる。また、マイコンが第２サーミスタ６８の断線を検出すると第１ＬＥＤ６３ｃを点灯させる。また、マイコンが第１サーミスタ６７を介して異常高温を検出すると第２ＬＥＤ６４ａを点灯させる。また、マイコンが転倒スイッチの故障を検出すると第２ＬＥＤ６４ｂを点灯させる。また、マイコンが第２サーミスタ６８を介して異常高温を検出すると第２ＬＥＤ６４ｃを点灯させる。また、マイコンがマイクロスイッチ６９を介して除湿ロータ３０の異常を検出すると第３ＬＥＤ６５ａを点灯させる。
【００４３】
次に、前記除湿機による第１実施形態の制御について具体的に説明する。
ユーザがスイッチ６２Ｅをオンするとともに、タンク収容室１９にタンク５５をセットし、スイッチ６２Ｂまたはスイッチ６２Ｃを操作して希望の除湿動作を選択すると、マイコンは、図９に示すように、ステップＳ１で、各コースに応じた従来と同様の除湿動作を実行する。
【００４４】
ついで、ステップＳ２で、各異常検出手段によって異常を検出したか否かを判断し、異常を検出した場合には異常モードに遷移し、異常を検出しない場合にはステップＳ１に戻る。即ち、いずれかの異常検出手段によって異常を検出するか、ユーザが設定した切タイマーの時間が経過するまで、ステップＳ１の除湿動作を実行する。
【００４５】
異常モードでは、まず、ステップＳ３で、各構成部品３１，４０Ａ，４０Ｂ，４２，４３の動作停止処理を実行して除湿動作を停止させた後、ステップＳ４で、制御基板に実装した圧電ブザーなどによる報知手段によって異常報知音を出力する。ついで、ステップＳ５で、全てのＬＥＤ６３ａ〜６３ｃ，６４ａ〜６４ｃ，６５ａ〜６５ｄ，６６を点灯させた後、ステップＳ６で、スイッチ６２Ａがオン操作されるまで待機する。
【００４６】
そして、スイッチ６２Ａがオン操作されると、ステップＳ７で、全てのＬＥＤ６３ａ〜６３ｃ，６４ａ〜６４ｃ，６５ａ〜６５ｄ，６６を消灯した後、ステップＳ８で、異常モードの実行中であることを表示するために第４ＬＥＤ６６を点灯させる。
【００４７】
ついで、ステップＳ９で、マイコンによってＡ／Ｄ変換器の異常の有無を検出する。そして、Ａ／Ｄ変換器の異常を検出した場合にはステップＳ１０に進み、第１ＬＥＤ６３ａを点灯させてステップＳ１１に進む。一方、Ａ／Ｄ変換器の異常を検出しない場合にはそのままステップＳ１１に進む。
【００４８】
ステップＳ１１では、第１サーミスタ６７からの入力信号の有無により該第１サーミスタ６７が断線しているか否かを検出する。そして、第１サーミスタ６７の断線を検出した場合にはステップＳ１２に進み、第１ＬＥＤ６３ｂを点灯させてステップＳ１３に進む。一方、第１サーミスタ６７の断線を検出しない場合にはそのままステップＳ１３に進む。
【００４９】
図１０に示すように、ステップＳ１３では、第２サーミスタ６８からの入力信号の有無により該第２サーミスタ６８が断線しているか否かを検出する。そして、第２サーミスタの断線を検出した場合にはステップＳ１４に進み、第１ＬＥＤ６３ｃを点灯させてステップＳ１５に進む。一方、第２サーミスタ６８の断線を検出しない場合にはそのままステップＳ１５に進む。
【００５０】
ステップＳ１５では、第１サーミスタ６７からの入力信号により再生通路１２内における除湿ロータ３０の上流側が異常高温になっているか否かを検出する。そして、第１サーミスタ６７によって異常高温を検出した場合にはステップＳ１６に進み、第２ＬＥＤ６４ａを点灯させてステップＳ１７に進む。一方、第１サーミスタ６７によって異常高温を検出しない場合にはそのままステップＳ１７に進む。
【００５１】
ステップＳ１７では、転倒スイッチからの入力信号により該転倒スイッチが故障しているか否かを検出する。そして、転倒スイッチの故障を検出した場合にはステップＳ１８に進み、第２ＬＥＤ６４ｂを点灯させてステップＳ１９に進む。一方、転倒スイッチの故障を検出しない場合にはそのままステップＳ１９に進む。
【００５２】
ステップＳ１９では、第２サーミスタ６８からの入力信号により再生通路１２内における除湿ロータ３０の下流側が異常高温になっているか否かを検出する。そして、第２サーミスタ６８によって異常高温を検出した場合にはステップＳ２０に進み、第２ＬＥＤ６４ｃを点灯させてステップＳ２１に進む。一方、第２サーミスタ６８によって異常高温を検出しない場合にはそのままステップＳ２１に進む。
【００５３】
ステップＳ２１では、マイクロスイッチ６９からの入力信号が断たれることによる除湿ロータ３０の異常を検出しているか否かを検出する。そして、マイクロスイッチ６９によって異常を検出した場合にはステップＳ２２に進み、第３ＬＥＤ６５ａを点灯させてステップＳ２３に進む。一方、マイクロスイッチ６９によって異常を検出しない場合にはそのままステップＳ２３に進む。
【００５４】
ステップＳ２３では、スイッチ６２Ａのオン操作が停止されることによりオフ状態になるまで待機する。そして、スイッチ６２Ａがオフ状態になると、ステップＳ２４で、全てのＬＥＤ６３ａ〜６３ｃ，６４ａ〜６４ｃ，６５ａ〜６５ｄ，６６を消灯させて図９に示すステップＳ４に戻る。
【００５５】
なお、ステップＳ１での除湿処理において、異常ではない満水状態をマイクロスイッチ６０により検出した場合には、ステップＳ３以降の異常モードには移行せず、この除湿処理において第４ＬＥＤ６６を点滅させて、各構成部品の動作を停止する。また、転倒スイッチにより機器自体の転倒を検出した場合には、異常報知音を出力させるとともに、各構成部品の動作を停止する。
【００５６】
このように、本実施形態では、特定のスイッチ６２Ａが操作され続けている状態では、種々の異常のうち、その異常に応じて異なるＬＥＤ６３ａ〜６３ｃ，６４ａ〜６４ｃ，６５ａを点灯させ、複数の異常でも同時に表示する。そのため、ユーザは、その表示状態を確認することにより、異常の種類を把握することができる。また、ユーザが異常の種類を把握しなくても、その表示状態は記憶し易いため、その表示状態を製造メーカーのサービスカウンターの者に伝えることにより、アフターサービスによる修理を正確に行うことができる。ここで、機器の異常の種類としては、再現性を有するものと無いものとがあり、再現性が無い異常はアフターサービスによる修理が非常に困難であったが、本実施形態の除湿機によれば、その異常状況を確実に伝えることができる。
【００５７】
図１１および図１２は第２実施形態の除湿機による制御を示すフローチャートであり、除湿機自体の構成は第１実施形態と同一である。この第２実施形態では、異常モードでいずれのスイッチ６２Ａ〜６２Ｅも操作することなく、全ての異常を表示できるようにした点で、第１実施形態と相違している。なお、以下では、第１実施形態と同一のステップは具体的な説明を省略し、相違する部分のみを具体的に説明する。
【００５８】
第２実施形態のマイコンは、ユーザがスイッチ６２Ａ〜６２Ｅを操作して希望の除湿動作を選択すると、図１１および図１２に示すように、第１実施形態と同様にステップＳ１からステップＳ５を行う。
【００５９】
そして、ステップＳ４で異常報知音を出力するとともに、ステップＳ５で、全てのＬＥＤ６３ａ〜６３ｃ，６４ａ〜６４ｃ，６５ａ〜６５ｄ，６６を点灯させると、第２実施形態では、ステップＳ６’で、５秒経過するまで待機する。そして、５秒経過すると、ステップＳ７で、全てのＬＥＤ６３ａ〜６３ｃ，６４ａ〜６４ｃ，６５ａ〜６５ｄ，６６を消灯する。
【００６０】
その後、第１実施形態と同様に、ステップＳ８からステップＳ２２を行う。そして、これらのステップにより異常に応じたＬＥＤ６３ａ〜６３ｃ，６４ａ〜６４ｃ，６５ａを点灯させた後、ステップＳ２３’で、５秒経過すると、ステップＳ２４で、全てのＬＥＤ６３ａ〜６３ｃ，６４ａ〜６４ｃ，６５ａ〜６５ｄ，６６を消灯させて図１１に示すステップＳ４に戻る。
【００６１】
このように、第２実施形態の除湿機では、全てのＬＥＤ６３ａ〜６３ｃ，６４ａ〜６４ｃ，６５ａ〜６５ｄ，６６を表示させる第１表示状態と、各異常に応じて予め設定した特定のＬＥＤ６３ａ〜６３ｃ，６４ａ〜６４ｃ，６５ａを表示させて２以上の異常を同時に表示可能とした第２表示状態とを５秒毎に交互に行う。そのため、第１実施形態と同様に、複数の異常でも同時に確認することができる。また、第１実施形態のように何の操作をしなくてもその異常状況を確認することができるため、利便性の向上を図ることができる。
【００６２】
なお、本発明の除湿機は、前記実施形態の構成に限定されるものではなく、種々の変更が可能である。
【００６３】
例えば、機器の異常を検出した際の第１表示状態、および、異常の種類に応じた表示部（ＬＥＤ６３ａ〜６３ｃ，６４ａ〜６４ｃ，６５ａ）を表示させる第２表示状態は、前記実施形態の構成に限定されず、種々の組合せにより表示してもよく、希望に応じて変更が可能である。
【００６４】
また、第１実施形態では、特定のスイッチ６２Ａがオン操作されている時のみ、異常に応じた表示を行うようにしたが、特定のスイッチ６２Ａがオン操作されると、所定時間異常に応じた表示を行うようにしてもよい。
【００６５】
【発明の効果】
以上の説明から明らかなように、本発明の除湿機では、２以上の異常を予め設定した表示部によって同時に表示することができるため、ユーザが煩わしい操作を繰り返して全ての異常を確認する必要はない。また、表示部の表示状況で表現しているため、ユーザは印象に残り易い。そのため、修理を依頼する際に異常状況を正確に伝えることができる。
【図面の簡単な説明】
【図１】本発明の実施形態に係る除湿機を示す概略図である。
【図２】（Ａ），（Ｂ）は除湿機の具体的構成を示す断面図である。
【図３】基枠の前面側の構成を示す分解斜視図である。
【図４】基枠の後面側の構成を示す背面図である。
【図５】除湿機の後面側の構成を示す分解斜視図である。
【図６】（Ａ）は熱交換器の正面図、（Ｂ）は（Ａ）の要部拡大断面図である。
【図７】操作パネルを示す正面図である。
【図８】（Ａ）はマイクロスイッチの出力信号を示すタイムチャート、（Ｂ）は転倒スイッチの出力信号を示すタイムチャートである。
【図９】第１実施形態のマイコンの制御を示すフローチャートである。
【図１０】図９の続きのフローチャートである。
【図１１】第２実施形態のマイコンの制御を示すフローチャートである。
【図１２】図１１の続きのフローチャートである。
【符号の説明】
１０…ケーシング、１１…除湿通路、１２…再生通路、１７…排気口、１８…吸気口、３０…除湿ロータ、３９Ａ，３９Ｂ…室内空気循環ファン、４１…再生空気循環ファン、４３…加熱ヒータ、４５…熱交換器、５５…タンク、５７…サブタンク、６０…マイクロスイッチ、６１…操作パネル、６２Ａ〜６２Ｅ…スイッチ、６３ａ〜６３ｃ…第１ＬＥＤ、６４ａ〜６４ｃ…第２ＬＥＤ、６５ａ〜６５ｄ…第３ＬＥＤ、６６…第４ＬＥＤ、６７…第１サーミスタ、６８…第２サーミスタ。
【図１】
2004317003.tif 000004
【図２】
2004317003.tif 000005
【図３】
2004317003.tif 000006
【図４】
2004317003.tif 000007
【図５】
2004317003.tif 000008
【図６】
2004317003.tif 000009
【図７】
2004317003.tif 000010
【図８】
2004317003.tif 000011
【図９】
2004317003.tif 000012
【図１０】
2004317003.tif 000013
【図１１】
2004317003.tif 000014
【図１２】
2004317003.tif 000015